(57)【要約】【課題】  流通途中の物品毎の温度履歴や湿度履歴等の環境に関する履歴を、物品に取り付けられた再利用可能な計測機器、もしくは、室内等に設置された計測機器から取得する。【解決手段】  流通経路上、計測機器で環境情報を計測する両端の位置情報と前記計測機器とを関連付けて管理し、物品が流通時に移動する際に、前記両端の位置において物品に取り付けたタグの情報を読み取り、管理する。物品の流通経路における特定箇所の環境情報取得時には、前記特定箇所の両端の位置情報および読み取り日時をもとに、該当計測機器における該当期間の計測値を取得する。また、物品に計測機器を直接取り付ける場合には、前記の関連付け管理に代わり、物品への計測機器の取り付け期間を管理して、物品の流通経路における特定箇所の環境情報取得時には、前記特定の箇所での物品の通過日時を元に該当期間に物品に取り付けられていた計測機器による計測値を取得する。【選択図】        図２
2006335494.tif 000002
【特許請求の範囲】
【請求項１】
移動する物品の特定場所における環境情報を取得、管理する環境情報管理システムであって、
前記環境情報管理システムは、
物品を特定する物品識別子と、前記物品が移動あるいは通過した場所を特定する場所識別子と、移動あるいは通過した移動日時情報とを少なくとも有する移動履歴と、
物品の環境情報を計測する計測機器を特定する計測機器識別子と、前記計測機器の計測値と、計測した計測日時情報とを少なくとも有する環境履歴と、
前記計測機器が設置される特定の場所への出入り口を特定する出入口識別子と、前記場所に設置される計測機器を特定する計測機器識別子から構成される環境・移動関連マスタと、を保持し、
特定の場所における特定の物品の環境情報を取得する際に、
前記環境・移動関連マスタより取得対象の計測機器に関連付けられた出入口識別子を取得する手段と、
前記出入口識別子に合致する場所を前記物品が移動あるいは通過した移動日時を移動履歴より取得して、これを前記物品が環境情報の取得対象である計測機器が設置された場所に滞留していた期間とする手段と、
前記期間における計測機器の計測値を環境履歴から取得する手段と、を備えたことを特徴とする環境情報管理システム。
【請求項２】
請求項１記載の環境情報管理システムにおいて、
さらに、物品毎あるいは物品の種別毎の計測機器における計測値の許容範囲を保持する手段と、
特定の場所における計測機器より前記許容範囲外の測定値が得られた場合、
前記環境・移動関連マスタより前記計測機器に関連付けられた出入口識別子を取得する手段と、
前記出入口識別子に合致する場所に該当する測定日時に滞留する物品を移動履歴より取得する手段と、
該物品が前記許容範囲に関連付けられた物品あるいは物品の種類に合致する場合に警告を通知する手段と、を備えたことを特徴とする環境情報管理システム。
【請求項３】
移動する物品の特定場所における環境情報を取得、管理する環境情報管理システムであって、
前記環境情報管理システムは、
物品を特定する物品識別子と、前記物品が移動あるいは通過した場所を特定する場所識別子と、移動あるいは通過した移動日時情報とを少なくとも有する移動履歴と、
物品の環境情報を計測する計測機器を特定する計測機器識別子と、前記計測機器の計測値と、計測した計測日時情報とを少なくとも有する環境履歴と、
物品の環境情報を計測する計測機器を特定する計測機器識別子と、前記計測機器が取り付けられる物品の物品識別子と、前記計測機器が物品に取り付けられている取付期間とを少なくとも有する環境・物品関連マスタと、を保有し、
特定の場所における特定の物品の環境情報を取得する際に、
前記移動履歴より取得対象の物品が該当場所を移動あるいは通過するに伴い滞留した期間を取得する手段と、
前記環境・物品関連マスタより該当物品に関連付けられた計測機器の計測機器識別子を取得する手段と、
前記計測機器識別子に合致する計測機器の前記期間における計測値を環境履歴から取得する手段と、を備えたことを特徴とする環境情報管理システム。
【請求項４】
請求項３記載の環境情報管理システムにおいて、
さらに、物品毎あるいは物品の種別毎の計測機器における計測値の許容範囲を保持する手段と、
特定の計測機器より前記許容範囲外の測定値が得られた場合、
前記環境・物品関連マスタより前記計測機器に関連付けられた物品の物品識別子を取得する手段と、
該物品が前記許容範囲に関連付けられた物品あるいは物品の種類に合致する場合に警告を通知する手段と、を備えたことを特徴とする環境情報管理システム。
【請求項５】
物品を特定する物品識別子と、前記物品が移動あるいは通過した場所を特定する場所識別子と、移動あるいは通過した移動日時情報とを少なくとも有する移動履歴と、
物品の環境情報を計測する計測機器を特定する計測機器識別子と、前記計測機器の計測値と、計測した計測日時情報とを少なくとも有する環境履歴と、
前記計測機器が設置される特定の場所への出入り口を特定する出入口識別子と、前記場所に設置される計測機器を特定する計測機器識別子から構成される環境・移動関連マスタを保持した、移動する物品の特定場所における環境情報を取得、管理する環境情報管理システムにおいて、
特定の場所における特定の物品の環境情報を取得する際には、
前記環境・移動関連マスタより取得対象の計測機器に関連付けられた出入口識別子を取得するステップと、
前記出入口識別子に合致する場所を前記物品が移動あるいは通過した移動日時を移動履歴より取得して、これを前記物品が環境情報の取得対象である計測機器が設置された場所に滞留していた期間とするステップと、
前記期間における計測機器の計測値を環境履歴から取得するステップを有することを特徴とする環境情報管理方法。
【請求項６】
請求項５記載の環境情報管理方法において、
さらに、物品毎あるいは物品の種別毎の計測機器における計測値の許容範囲を保持するステップと、
特定の場所における計測機器より前記許容範囲外の測定値が得られた場合、
前記環境・移動関連マスタより前記計測機器に関連付けられた出入口識別子を取得するステップと、
前記出入口識別子に合致する場所に該当する測定日時に滞留する物品を移動履歴より取得するステップと、
該物品が前記許容範囲に関連付けられた物品あるいは物品の種類に合致する場合に警告を通知するステップと、を備えたことを特徴とする環境情報管理方法。
【請求項７】
移動する物品を特定する物品識別子と、前記物品が移動あるいは通過した場所を特定する場所識別子と、移動あるいは通過した移動日時情報とを少なくとも有する移動履歴と、
物品の環境情報を計測する計測機器を特定する計測機器識別子と、前記計測機器の計測値と、計測した計測日時情報とを少なくとも有する環境履歴と、
物品の環境情報を計測する計測機器を特定する計測機器識別子と、前記計測機器が取り付けられる物品の物品識別子と、前記計測機器が物品に取り付けられている取付期間とを少なくとも有する環境・物品関連マスタを保有した、移動する物品の特定場所における環境情報を取得、管理する環境情報管理システムにおいて、
特定の場所における特定の物品の環境情報を取得する際には、
前記移動履歴より取得対象の物品が該当場所を移動あるいは通過するに伴い滞留した期間を取得するステップと、
前記環境・物品関連マスタより該当物品に関連付けられた計測機器の計測機器識別子を取得するステップと、
前記計測機器識別子に合致する計測機器の前記期間における計測値を環境履歴から取得するステップと、を備えたことを特徴とする環境情報管理方法。
【請求項８】
請求項７記載の環境情報管理方法において、
さらに、前記環境・物品関連マスタより該当物品に関連付けられた計測機器の計測機器識別子を取得するステップと、
前記計測機器識別子に合致する計測機器の前記期間における計測値を環境履歴から取得するステップと、
さらに、物品毎あるいは物品の種別毎の計測機器における計測値の許容範囲を保持するステップと、
特定の計測機器より前記許容範囲外の測定値が得られた場合には、
前記環境・物品関連マスタより前記計測機器に関連付けられた物品の物品識別子を取得するステップと、
該物品が前記許容範囲に関連付けられた物品あるいは物品の種類に合致する場合に警告を通知するステップと、を備えたことを特徴とする環境情報管理方法。
【発明の詳細な説明】
【技術分野】
【０００１】
本発明は、物品の製造・流通・保管の各段階における温度・湿度等の環境情報を蓄積・検索する環境情報管理システム及び管理方法に関する。
【背景技術】
【０００２】
現在、温度や湿度等の環境情報は、主に倉庫や工場、及びトラックの荷台等に設置された温度センサや湿度センサ等の機器で計測されており、温度や湿度等の環境に異常があった場合には、異常があったその場で商品を検査・廃棄する等の対応を行っている。
一方、特許文献１では、物品にＩＤ情報を持つＩＤタグと温度や湿度等の環境情報を計測し送信する手段を備えたデータキャリアを設置し、梱包、荷役、輸送、保管等の物流の過程毎にデータキャリアが計測し保管している温度や湿度等の環境情報をデータサーバに送信し、データサーバで物流過程における物品毎の環境情報を管理し、さらにデータサーバで品質保証範囲外の温度等を検出するフィルタ処理を行うことにより、不良品を発見する方法を説明している。
【特許文献１】特開２００４−３１５１５４号公報
【発明の開示】
【発明が解決しようとする課題】
【０００３】
現在、特許文献１の技術のように、物品毎の温度や湿度等の環境情報を把握することにより、不良品範囲の限定や、事後的に不良原因を追究することに対する需要が高まっている。しかしながら、特許文献１の方法では、高価なデータキャリアを物品毎に設置する必要があり、コスト的に導入が困難な場合が多い。
また、高価なデータキャリアでも何度も再利用することにより、コスト負担を軽減させる方法も考えられるが、特許文献１の方法では、物品とデータキャリアを１対１で結びつけて管理しており、再利用するとデータキャリアで取得した温度や湿度等の環境情報が、どの物品と結びつくのかが判別できなくなるため、データキャリアの再利用ができない。
【０００４】
本発明の目的は、倉庫や工場、トラックの荷台等、特定の場所に設置した温度センサや湿度センサ等の環境情報取得機器を利用して、物品毎の温度履歴や湿度履歴等の環境履歴を取得して管理することが可能な方法またはシステムを提供することにある。
本発明の別の目的は、物品もしくは物品と共に移動する容器に環境情報取得機器を取り付けた場合にでも、環境情報取得機器の再利用が可能な形態で、物品毎の環境履歴を取得して管理することが可能な方法またはシステムを提供することにある。
【課題を解決するための手段】
【０００５】
前記課題を解決するため、本発明による物品の環境情報管理システムでは、２つの手段で上記課題を解決する。
第一の手段は、倉庫や工場、及びトラックの荷台等、固定の場所に取り付けられた温度センサや湿度センサ等の環境情報取得機器で逐次計測される温度や湿度等の情報（環境履歴）と、物品毎の移動を検知する移動情報取得機器により取得される情報（移動履歴）から物品毎の特定場所における環境情報を取得する。具体的には、倉庫等環境情報取得機器により環境履歴を取得する場所の前後に移動情報取得機器を設置し、前記場所と環境情報取得機器の関係を環境・移動関連マスタとして管理する。環境履歴には環境情報取得機器の識別情報と環境情報の計測日時、及び環境情報の計測値を記録し、移動履歴には通過場所と通過日時、及び通過した物品の物品ＩＤ等の識別情報を記録する。そして、特定物品の特定場所における環境履歴を取得する際に、前記物品に対応する物品ＩＤが、前記場所を通過した日時を移動履歴から取得し、前記通過日時の範囲内において前記環境情報取得機器が計測した計測値を取得する。
【０００６】
さらに、個別の物品、もしくは物品の種別毎に計測値の上限値や下限値等の監視条件を設定することにより、環境履歴と移動履歴から下記の方法で監視条件に合致した物品を取得する。まず、環境履歴の計測値を前記監視条件で検索し、監視条件に合致した計測値があった場合には、該当する環境情報取得機器と計測日時を環境履歴より取得する。そして、環境・移動関連マスタから前記環境情報取得機器と関連する場所を取得し、監視条件の対象とする物品が前記計測日時に、前記場所を通過した履歴があるかを移動履歴により判定し、前記場所に滞留している場合、監視条件に合致した物品があることを通知する。
【０００７】
第二の手段は、環境情報取得機器を個別の物品もしくは物品と共に移動する容器等に取り付けて、物品毎の環境履歴を計測し、さらに前記環境情報取得機器を再利用可能とする。
具体的には、物品ＩＤ等の物品の識別情報と、その物品に取り付けた環境情報取得機器、及び取り付けた日時と取り外した日時を環境・物品関連マスタで管理する。そして、特定の物品の環境履歴を取得する際には、前記物品に取り付けた環境情報取得機器と取り付け日時、取り外し日時を環境・物品関連マスタから取得し、前記取り付け日時と前記取り外し日時の間の前期環境情報取得機器に対応する計測値を環境履歴から取得する。
【発明の効果】
【０００８】
本発明の第一の手段によれば、倉庫や工場、トラックの荷台等、特定の場所に設置した温度センサや湿度センサ等の環境情報取得機器の計測値を利用して、物品毎の温度履歴や湿度履歴等の環境履歴を取得するため、少数の環境情報取得機器を用意するだけでよく、しかも物品毎に機器の装着の必要もないため、物品の環境情報を安価に管理することができる。また、本発明の第二の手段によれば、物品毎もしくは物品と共に移動する容器毎に取り付けた環境情報取得機器を再利用しても、物品毎の環境履歴が取得可能となる。
【発明を実施するための最良の形態】
【０００９】
以下、本発明の第一の実施例を図面に基づいて説明する。
【実施例１】
【００１０】
図１は本実施例の環境情報管理システムのシステム構成を示す。
移動情報入力機器１１は、物品の移動から移動情報１４を生成して環境情報管理システム１０に入力するための、電子タグリーダやバーコードリーダもしくはキーボード等の装置である。入力部２１が移動情報１４を受取り、移動履歴２８に保存する。
上述した移動情報１４は、物品の物流における出荷、入荷、入庫、出庫や、工場や倉庫内での物品の移動に関する情報のことであり、物品の識別子である物品ＩＤと、出荷日時や入荷日時、入庫日時、出庫日時等の移動日時と、移動のあった場所もしくは経由した場所を示す場所ＩＤと、「入荷」や「出荷」等の移動状態を表す情報を含む。
環境情報入力機器１２は、温度や湿度、圧力、ＰＨ、加速度、臭気、もしくは二酸化炭素や一酸化炭素等の特定の物質の濃度等の環境に関する情報等を計測し、環境情報１５を作成して環境情報管理システム１０に入力するための、温度センサやキーボード等の装置である。入力部２１が環境情報１５を受取り、環境履歴２７に保存する。
環境情報１５とは、環境に関する温度等の測定値と、測定日時、及び測定機器の情報を含む。
【００１１】
環境・移動関連マスタ２３は、環境情報の測定機器が測定する各場所を定義するものである。前記場所は、具体的に、環境情報を測定する場所毎に、その場所へ入る移動を示す場所ＩＤと移動状態、および出る移動を示す場所ＩＤと移動状態で定義する。場所ＩＤだけで、物品が入ってくる移動、もしくは出て行く移動の移動履歴を特定できる場合には、移動状態はなくてもよい。
環境履歴検索プログラム２２は、特定の物品ＩＤに対する環境履歴である物品毎の環境履歴１６を、移動履歴２８と環境履歴２７及び、環境・移動関連マスタ２３から生成し、プリンタやディスプレイ等の出力機器１３に出力する。
環境監視条件マスタ２５は、環境情報１５、もしくは環境履歴２７を監視し、物品の環境に関する異常を発見する条件を、物品もしくは後述する物品種別マスタ２６で定義する物品種別毎に定義する。監視する条件としては、環境値の範囲を上限値と下限値を定義や、環境値の時間当たりの変化量等がある。
物品種別マスタ２６は、製品名や商品コード等で区別される物品の種類や、「チルド商品」や「冷凍食品」等、管理方法で区別される物品の種別等のことであり、物品種別と、前記物品種別に属する物品ＩＤの組み合わせで定義する。
【００１２】
環境監視プログラム２９は、環境監視条件マスタ２５で定義した物品種別毎の環境履歴の環境監視条件に従って、環境履歴２７もしくは環境情報１５を監視し、条件に合致した場合に該当する物品を、物品がどの物品種別に含まれるかを定義した物品種別マスタ２６と移動履歴２８から特定して、環境監視条件と、環境監視条件に合致した物品、場所、日時等の情報を含む警告１７を出力機器１３に出力する。ここで、前記環境履歴検索プログラム２２および前記環境監視プログラム２９の後述する各処理をプログラムとしてパーソナルコンピュータ等の計算機にて読み取り可能な媒体に格納し、必要に応じて前記媒体から読み出して実行するものとしてもよい。
【００１３】
図２を用いて本実施例の環境情報管理システムにおける各処理を物品流通の業務形態に適用し、物品が入荷場を通して倉庫に入庫し、その後、一定期間後に倉庫から出荷場を通して出荷する場合を例に説明する。
なお、本実施例では環境情報として温度を例に説明するが、湿度や圧力、ＰＨ、加速度、臭気等でもよい。また、二酸化炭素や一酸化炭素等の特定の物質の濃度でもよい。その場合、環境情報入力機器は、温度センサ、圧力センサ、ＰＨセンサ、加速度センサ、臭気センサ、ガス濃度センサ等となる。
【００１４】
物品４３は、物品４３の物品ＩＤ３０を格納したタグ５１を装着して移動しているものとする。タグ５１は、電子タグ、バーコード等の読み取り機器にて認識可能なものの他、人が目視可能な物品ＩＤ３０を記載された紙等でもよい。
物品４３が倉庫４１の入口である入庫場４０に到着すると、図１における移動情報入力機器１１に相当するリーダ５２により物品ＩＤ３０を読み取り、倉庫４１に入庫する。リーダ５２は、タグ５１に記録された物品ＩＤを読み取り、環境情報管理システム１０に入力または送信するものであり、タグ５１の種類に応じて、電子タグリーダ、バーコードリーダの他、人間がタグ５１に記載された物品ＩＤを読み取ってキーボード等で入力してもよい。
リーダ５２は、物品ＩＤ３０と、移動日時として読み取り日時、移動場所ＩＤとしてリーダ５２のリーダＩＤ、移動状態として「入庫」を、図１における移動情報１４に相当する入庫情報３１として環境情報管理システム１０に入力する。
環境情報管理システム１０は、入庫情報３１を受信すると移動履歴２８に格納する。
【００１５】
図８に前記移動履歴２８の例を示す。例えば、Ｌ８４は、物品ＩＤが「３０１」である物品が倉庫４３への入庫時、リーダＩＤが「２００」であるリーダが、日時「２００５年１月３日０時３０分」に読み取って格納した例である。
倉庫４１の中の温度は物品４３の入庫・出庫とは関わらず一定時間毎に、図１の環境情報入力機器１２に相当する温度センサ５３が計測する。計測は毎秒でもよいし、１時間毎でもよい。温度センサ５３が、「２００５年１月３日１時０分」に「−２２℃」を計測したとすると、計測値である温度「−２２℃」と、計測日時である「２００５年１月３日１時０分」と、計測機器の識別子である温度センサＩＤを図１の環境情報１５に相当する温度情報３２として、環境情報管理システム１０に送信する。
【００１６】
環境情報管理システム１０は、温度情報３２を受信すると環境履歴２７に格納する。
環境履歴２７の例を図７に示す。同図Ｌ７３は、前記例において温度センサＩＤが「１００」である場合の温度情報３２である。
物品４３が、倉庫４１から出庫して出庫場４２に移動する際にも、前記入庫時と同様にリーダ５４において物品ＩＤ３３を読み取り、これに読み取り日時、移動場所ＩＤであるリーダ５４のＩＤ、移動状態「出庫」を図１における移動情報１４に相当する出庫情報３４として環境情報管理システム１０に入力する。
図８におけるＬ８５が、入庫時の例と同様、物品ＩＤ「３０１」である物品が倉庫４３からの出庫時、リーダＩＤが「２０１」であるリーダが、日時「２００５年１月３日０４時３０分」に読み取って格納した例である。
以上の様に、物品の移動に関する記録である移動履歴２８と、環境の計測履歴である環境履歴２７にそれぞれ情報を記録する。
【００１７】
次に、本実施例における環境・移動関連マスタ２３と環境監視条件マスタ２５、及び物品種別マスタ２６を説明する。
図３は環境・移動関連マスタ２３の例であり、Ｌ３１は、移動場所ＩＤが「２００」であり移動状態が「入庫」である物品の移動と、移動場所ＩＤが「２０１」であり移動状態が「出庫」である物品の移動の間の物品の環境を、計測機器ＩＤが「１００」である環境情報計測機器が計測することを定義しており、Ｌ３２は、移動場所ＩＤが「２０２」であり移動状態が「入庫」である物品の移動と、移動場所ＩＤが「２０２」であり移動状態が「出庫」である物品の移動の間の物品の環境を、計測機器ＩＤが「１０１」である環境情報計測機器が計測することを定義している。
【００１８】
図５は環境監視条件マスタ２５の例であり、Ｌ５１は物品種別ＩＤが「４０」である物品種別の物品に関して、環境情報もしくは環境履歴の計測値が、上限温度「−１８℃」と下限温度「−２５℃」で示される温度範囲外になったことを検知する条件を定義しており、Ｌ５２は物品種別ＩＤが「４１」である物品種別の物品に関して、環境情報もしくは環境履歴の計測値が、上限温度「−１５℃」と下限温度「−２５℃」で示される温度範囲外になったことを検知する条件を定義している。
【００１９】
図６は環境種別マスタ２６の例であり、Ｌ６２、Ｌ６４、Ｌ６５は、物品種別ＩＤが「４０」の物品種別に、物品ＩＤがそれぞれ「３０１」、「３０３」、「３０４」の物品が含まれることを定義しており、Ｌ６１，Ｌ６３は、物品種別ＩＤが「４１」の物品種別に、物品ＩＤがそれぞれ「３０２」、「３０３」の物品が含まれることを定義している。
【００２０】
次に、図１３に示す処理フローを用いて環境履歴検索プログラム２２の処理を説明する。
図１３に示すステップＳ２０で、図８に示す移動履歴２８より、特定の物品に対する移動履歴を取得する。ここで、物品の特定は、例えば図１１に示す検索画面３０３にて物品ＩＤ入力欄３０４に物品ＩＤ「３０１」と入力し、検索ボタン３０５を押下することで実施する。図例のように物品ＩＤ「３０１」と入力した場合、検索結果として図８において、物品ＩＤ２８１が「３０１」であるＬ８１、Ｌ８４、Ｌ８５、Ｌ８８を取得する。
次に、ステップＳ２１で、移動履歴２８の中で、倉庫４１のように温度センサが設置されている場所に物品があった時間を検索する。（図３が環境・移動関連マスタの例である・・・の説明を入れること）
【００２１】
具体的には、ステップＳ２０で取得した移動履歴の移動場所ＩＤ２８０と移動状態２８３の組みの中で、図３に示す環境・移動関連マスタ２３の移動場所ＩＤ（入口）２３１と移動状態（入口）２３２に合致するものと、移動場所ＩＤ（出口）２３３と移動状態（出口）２３４に合致するものを検索し、計測機器ＩＤとその場所への存在期間を取得する。
前記例では、図８のＬ８４の移動場所ＩＤ２８０と移動状態２８３とが図３のＬ３１の移動場所ＩＤ（入口）２３１と移動状態（入口）２３２に、Ｌ８５の移動場所ＩＤ２８０と移動状態２８３とがＬ３１の移動場所ＩＤ（出口）２３３と移動状態（出口）２３４に合致する。そこで、Ｌ３１の計測機器ＩＤ２３０である「１００」の場所に、Ｌ８４の移動日時２８２である「２００５年１月３日０時３０分」からＬ８５の移動日時２８２である「２００５年１月３日４時３０分」までが存在期間であると取得する。
【００２２】
次に、ステップＳ２１で取得した計測機器ＩＤ毎にステップＳ２２からすステップＳ２４を繰り返す。前記例では、計測機器ＩＤとして「１００」のみ取得したので１度だけステップＳ２２からステップＳ２４を実行する。ステップＳ２３では、ステップＳ２１で取得した計測機器ＩＤに合致し、かつ存在期間内の計測値を環境履歴２７から取得し、計測機器（本実施例では温度センサの情報）およびその計測値等から成る図１の物品毎環境履歴１６に相当する物品毎に温度履歴３５を出力機器１３に相当するディスプレイ５５に送信、表示する。
前記例では、計測機器ＩＤ２７０が「１００」であり、計測日時２７１が「２００５年１月３日０時３０分」から「２００５年１月３日４時３０分」までの履歴であるＬ７３、Ｌ７４、Ｌ７５、Ｌ７６の計測値２７２を図７に示す環境履歴２７から取得する。ここで、図１２にディスプレイ５５にて表示される画面例である物品毎環境履歴画面３０６を示す。
【００２３】
図９の処理フローを用いて環境監視プログラム２９の処理を説明する。この処理は、温度情報３２が環境情報管理システム１０に登録された時に実行してもよいし、後から環境履歴２７の各行に対して実行してもよい。ここでは、温度情報３２として計測機器ＩＤが「１００」、計測日時が「２００５年１月３日３時０分」、計測値が「−１６℃」の情報が入力されたものとして処理を説明する。
まず、ステップＳ００で環境監視条件マスタ２５よりすべての環境監視条件を取得する。
【００２４】
ここで、図５に環境条件マスタ２５の例を示す。同図のように環境条件マスタ２５は、物品の種類を示す物品種別ＩＤ２５０、及びその物品に対し、監視対象とする測定値の下限温度２５１と上限温度２５２から成る。次に、ステップＳ００で読み取った環境監視条件毎にステップＳ０１からステップＳ０１０を繰り返す。ステップＳ０２では、温度情報３２の測定値が、環境監視条件に合致するかを判定し、合致する場合ステップＳ０３に移動する。ここで前記判定では、前記下限温度２５１を下回るか、上限温度２５２を上回る場合に合致すると判定する。本例では、計測値「−１６℃」が環境監視条件Ｌ５１およびＬ５２に合致しているかを判定する。Ｌ５１は、計測値「−１６℃」は上限温度「−１８℃」より高いため、環境監視条件Ｌ５１に合致したものとし、ステップＳ０３に移動する。
【００２５】
ステップＳ０３では、前記合致する環境監視条件の物品種別ＩＤ２５０に合致する物品を物品種別マスタ２６より取得する。図６に物品種別マスタ２６の例を示す。物品種別マスタ２６は、物品の種類を示す物品種別ＩＤ２６０およびその種別に属する物品ＩＤ２６１から成る。本例では、環境監視条件Ｌ５１に記載された物品種別ＩＤ「４０」に合致する物品ＩＤ２６１を検索し、Ｌ６２、Ｌ６４、Ｌ６５から、物品ＩＤ「３０１」「３０３」「３０４」を取得する。
次に、ステップＳ０３で取得した物品ＩＤ毎にステップＳ０４からステップＳ０９を繰り返し、該当する物品が前記環境監視条件に合致した温度を計測した温度センサの場所に存在するかを、移動履歴２８および環境・移動関連マスタ２３より判定する。ステップＳ０５では、図３に示す環境・移動関連マスタ２６から温度情報３２の計測機器ＩＤに合致する移動場所ＩＤ（入口）２３１と移動状態（入口）２３２、移動場所ＩＤ（出口）２３３と移動状態（出口）２３４を取得する。本例では、温度を計測した温度センサの計測機器ＩＤである「１００」に対応するＬ３１の移動場所ＩＤ（入口）２３１「２００」と移動状態（入口）２３２「入庫」と、移動場所ＩＤ（出口）２３３「２０１」と移動状態（出口）２３４「出庫」を取得する。
【００２６】
ステップＳ０６では、ステップＳ０３で取得した物品ＩＤの物品が、ステップＳ０５で取得した移動場所ＩＤ（出口）２３３と移動状態（出口）２３４を通過しているかどうかを図８に示す移動履歴２８から判定し、通過していない場合、ステップＳ０７に移動する。
ここで、出口の通過記録が移動履歴２８にない場合も、出口を通過していなかったものと判定する。本例では、物品ＩＤが「３０１」で移動場所ＩＤ２８０が「２０１」で移動状態２８３が「出庫」であるＬ８５の移動日時２８２「２００５年１月３日４時３０分」が、温度の計測日時「２００５年１月３日３時０分」より後であるため、温度の計測時点では、出口を通過していなかったものと判定し、ステップＳ０７に移動する。
【００２７】
ステップＳ０７では、ステップＳ０３で取得した物品ＩＤの物品が、ステップＳ０５で取得した移動場所ＩＤ（入口）２３１と移動状態（入口）２３２を通過しているかどうかを図８に示す移動履歴２８から判定し、通過している場合、ステップＳ０８に移動する。
本例では、物品ＩＤが「３０１」で移動場所ＩＤ２８０が「２００」で移動状態２８３が「入庫」であるＬ８４の移動日時２８２「２００５年１月３日０時３０分」が、温度の計測日時「２００５年１月３日３時０分」より前であるため、温度の計測時点では、入口を通過していたものと判定し、ステップＳ０８に移動する。
【００２８】
ステップＳ０８では、前記処理にて得た物品が環境監視条件に合致したことを示す、図１の警告１７に相当する警告３６を出力機器１３に相当する警告をディスプレイ５５に送信、表示する。図１０に前記の表示画面例である警告画面３０１を示す。
本例では、さらにＬ６４とＬ６５についてステップＳ０４からステップＳ０９を繰り返すが、Ｌ６４とＬ６５の物品ＩＤ２６１「３０３」と「３０４」の移動履歴は、図８の移動履歴２８に存在しないため、ステップＳ０７で入口を通過していないものと判定し、処理を終了する。次に、環境監視条件Ｌ５２についてステップＳ０１からステップＳ０１０を繰り返すが、ステップＳ０２で、Ｌ５２の下限温度「−２５℃」と上限温度「−１５℃」に、計測値「−１６℃」が合致しないため処理を終了する。
【実施例２】
【００２９】
以下、本発明の第二の実施例を図面に基づいて説明する。図２０は本実施例の環境情報管理システムのシステム構成示す。
図２０を用いて、環境情報管理システム１８の全体構成を説明する。
移動情報入力機器１１、移動情報１４、環境情報入力機器１２、出力機器１３、環境情報１５、物品毎環境履歴１６、警告１７、入力部２１、移動履歴２８、環境履歴２７、環境監視条件マスタ２５、物品種別マスタ２６は、第一の実施例における図１に示す環境情報管理システム１０と同様の機器あるいは情報である。
環境物品関連マスタ２４は、物品もしくは物品と共に移動する箱等に取り付けられた環境情報測定機器を、環境情報入力機器の識別子である計測機器ＩＤと前期環境情報測定機器が計測する対象の物品の識別子である物品ＩＤの組み合わせを定義するためのものである。環境情報入力機器を再利用する場合には、計測機器ＩＤと物品ＩＤに加えて、前記環境情報計測機器が前記物品に取り付けられた取付け日時と、前記環境情報入力機器が前記物品から取り外された取り外し日時を記録する。
【００３０】
環境履歴検索プログラム９２は、特定の物品ＩＤに対する環境履歴である物品毎環境履歴１６を、移動履歴２８と環境履歴２７及び、環境・物品関連マスタ２４から生成し、プリンタやディスプレイ等の出力機器１３に出力する。
環境監視プログラム９９は、環境監視条件マスタ２５で定義した物品種別毎の環境履歴の環境監視条件に従って、環境履歴２７もしくは環境情報１５を監視し、条件に合致した場合に該当する物品を、物品がどの物品種別に含まれるかを定義した物品種別マスタ２６と移動履歴２８から特定して、環境監視条件と、環境監視条件に合致した物品、場所、日時等の情報を含む警告１７を出力機器１３に出力する。
ここで、前記環境履歴検索プログラム９２および前記環境監視プログラム９９の後述する各処理をプログラムとしてパーソナルコンピュータ等の計算機にて読み取り可能な媒体に格納し、必要に応じて前記媒体から読み出して実行するものとしてもよい。
【００３１】
図１４を用いて本実施例の環境情報管理システムにおける各処理を物品流通の業務形態に適用し、物品を産地から出荷し、トラック等で輸送した後、店舗に入荷する場合を例に説明する。ここで、産地を出荷してから店舗に入荷するまでの間に、第一の実施例における図２で説明した倉庫への入庫、出庫があってもよい。
なお、本実施例では環境情報として温度を例に説明するが、湿度や圧力、ＰＨ、加速度、臭気等でもよい。また、二酸化炭素や一酸化炭素等の特定の物質の濃度でもよい。その場合、環境情報入力機器は、温度センサ、圧力センサ、ＰＨセンサ、加速度センサ、臭気センサ、ガス濃度センサ等となる。
物品８２は、物品８２の物品ＩＤ７０を格納したタグ５６と、物品８２の温度を計測する温度センサ５７を装着して移動しているものとする。タグ５６は、電子タグ、バーコード等の読み取り機器にて認識可能なものの他、人が目視可能な物品ＩＤ７０を記載された紙等でもよい。
【００３２】
物品８２を産地８０から出荷する際に、図２０における移動情報入力機器１１に相当するリーダ５８により物品ＩＤ７０を読み取る。リーダ５８は、タグ５６に記録された物品ＩＤを読み取り、環境情報管理システム１８に入力または送信するものであり、タグ５６の種類に応じて、電子タグリーダ、バーコードリーダの他、人間がタグ５６に記載された物品ＩＤを読み取ってキーボード等で入力してもよい。
リーダ５８は、物品ＩＤ７０と、移動日時として読み取り日時、移動場所ＩＤとしてリーダ５８のリーダＩＤ、移動状態として「出荷」を、図２０における移動情報１４に相当する出荷情報７１として環境情報管理システム１８に入力する。
環境情報管理システム１８は、出荷情報７１を受信すると移動履歴２８に格納する。
【００３３】
図８に前記移動履歴２８の例を示す。例えば、Ｌ８２は、物品ＩＤが「３００」である物品が、産地８０から出荷される時に、リーダＩＤが「２２０」であるリーダが、日時「２００５年１月２日２２時０分」に読み取って格納した例である。
物品８２を店舗８１に入荷する際にも、前記産地８０からの出荷時と同様に、リーダ５９において物品ＩＤ７３を読み取り、これに読み取り日時、移動場所ＩＤであるリーダ５８のＩＤ、移動状態として「入荷」を、図２０における移動情報１４に相当する入荷情報７４として環境情報管理システム１８に入力する。
図８におけるＬ８７が、出荷時の例と同様、物品ＩＤ「３００」である物品が店舗８１への入荷時、リーダＩＤが「２２１」であるリーダが、日時「２００５年１月３日８時０分」に読み取って格納した例である。
【００３４】
物品８２の温度は、物品８２、もしくは物品８２と共に移動する箱等に取り付けられた、図２０の環境情報入力機器１２に相当する温度センサ５７が、一定時間毎に計測する。計測は毎秒でもよいし、１時間毎でもよい。温度センサ５７が「２００５年１月３日０時０分」に「−２０℃」を計測したとすると、計測値である温度「−２０℃」と、計測日時である「２００５年１月３日０時０分」と、計測機器の識別子である温度センサＩＤを図２０の環境情報１５に相当する温度情報７２として環境情報管理システム１８に送信する。温度情報７２の送信は、計測する度、もしくは一定時間毎に携帯電話や衛星通信等を使用して送信してもよいし、温度センサ５７が記憶しておき、店舗８１でリーダ５９等により物品ＩＤ７３と共に読み込み、入荷情報７４と共に環境情報管理システム１８に送信してもよい。
【００３５】
環境情報管理システム１８は、温度情報７２を受信すると環境履歴２７に格納する。
環境履歴２７の例を図７に示す。同図Ｌ７８は、前記例において温度センサＩＤが「１１０」である場合の温度情報７２である。
以上の様に、物品の移動に関する記録である移動履歴２８と、環境の計測履歴である環境履歴２７にそれぞれ情報を記録する。
【００３６】
次に、本実施例における環境・物品関連マスタ２４を説明する。なお、環境監視条件マスタ２５、及び物品種別マスタ２６は、第一の実施例のものと同じであるため説明を省略する。
図４は環境・物品関連マスタ２４の例であり、例えばＬ４１は、物品ＩＤが「３００」の物品もしくはその箱等の近接位置に、取り付け日時である「２００５年１月２日２２時０分」から取り外し日時である「２００５年１月３日８時０分」まで、計測機器ＩＤが「１１０」の環境情報入力機器が取り付けられ、その間前記物品の環境を、前記環境情報入力機器が計測することを定義している。
【００３７】
図１９に示す処理フローを用いて環境履歴検索プログラム９２の処理を説明する。
図１９に示すステップＳ３０で、図８に示す移動履歴２８より、特定の物品に対する移動履歴を取得する。ここで、物品の特定は、例えば図１７に示す画面３１２にて物品ＩＤ入力欄３１３に物品ＩＤ「３００」と入力し、検索ボタン３１４を押下することで実施する。図例のように物品ＩＤ「３００」と入力した場合、検索結果として図８におけるＬ８２，Ｌ８３，Ｌ８６，Ｌ８７を取得する。
次に、ステップＳ３１で、前記物品に取り付けられた環境情報入力機器と取り付け日時、取り外し日時を環境・物品関連マスタ２４より検索して取得する。前記例では、物品ＩＤが「３００」であるため、図４に示す環境・物品関連マスタ２４より、物品ＩＤが「３００」であるＬ４１より、計測機器ＩＤ「１１０」、取り付け日時「２００５年１月２日２２時０分」、取り外し日時「２００５年１月３日８時０分」を取得する。
次に、ステップＳ３２で、ステップＳ３１において取得した環境情報入力機器の、取り付け日時から取り外し日時までの環境値を環境履歴２７から取得し、計測機器（本実施例では温度センサの情報）およびその計測値等から成る図２０の物品毎環境履歴１６に相当する物品毎温度履歴７５を出力機器１３に相当するディスプレイ５５に送信、表示する。前記例では、図７に示す環境履歴２７より、計測機器ＩＤが「１１０」で、かつ計測日時が前記取り付け日時「２００５年１月２日２２時０分」と前記取り外し日時「２００５年１月３日８時０分」の間であるＬ７８、Ｌ７９、Ｌ７１０を取得する。ここで、図１８にディスプレイ５５にて表示される画面例である物品毎環境履歴画面３１５を示す。
【００３８】
図１５に示す処理フローを用いて環境監視プログラム９９の処理を説明する。この処理は、温度情報７２が環境情報管理システム１８に登録された時に実行してもよいし、後から環境履歴２７の各行に対して実行してもよい。ここでは、温度情報７２として計測機器ＩＤが「１１０」、計測日時が「２００５年１月３日３時０分」、計測値が「−１０℃」の情報が入力されたものとして処理を説明する。
まず、ステップＳ１１で環境・物品関連マスタ２４より温度情報７２で入力された計測機器ＩＤに該当する物品の物品ＩＤを取得する。前期例では、図４に示す環境・物品関連マスタ２４より計測機器ＩＤ２４０が温度情報７２の計測機器ＩＤである「１１０」と一致し、温度情報７２の計測日時「２００５年１月３日３時０分」が、取り付け日時２４２と取り外し日時２４３の間にあることを条件に合致するＬ４１から物品ＩＤ２４１の「３００」を取得する。ここで、取り外し日時２４３が登録されていない場合は、現時点でまだ取り外されていないと判断し、温度情報７２の計測日時が取り付け日時２４２より後である場合に合致することとしてもよい。
【００３９】
ステップＳ１２では、物品種別マスタ２６より、ステップＳ１１で取得した物品ＩＤが属する物品種別を取得する。前記例では、図６に示す物品種別マスタ２６の物品ＩＤ２６１よりステップＳ１１で取得した物品ＩＤ「３００」を検索し、検索に合致したＬ６１より、物品種別ＩＤ「４１」を取得する。
ステップＳ１３では、ステップＳ１２で取得した物品種別を対象とする環境監視条件を環境監視条件マスタ２５より取得する。前記例では、図５に示す環境監視条件マスタ２５の物品種別ＩＤ２５０よりステップＳ１２で取得した物品種別ＩＤ「４１」を検索し、合致するＬ５２を取得する。
ステップＳ１４では、入力された温度情報７２の計測値がステップＳ１３で取得した環境監視条件に合致するかをチェックし、合致している場合にはステップＳ１５に進み、合致していない場合には処理を終了する。前記例では、計測値「−１０℃」が環境監視条件Ｌ５２の上限温度の「−１５℃」と下限温度の「−２５℃」の範囲内にあるかをチェックし、上限温度「−１５℃」より温度が高いため合致しているとし、ステップＳ１５に進む。
ステップＳ１５では、前記処理にて得た物品が環境監視条件に合致したことを示す、図１の警告１７に相当する警告７６を出力機器１３に相当する警告をディスプレイ５５に送信、表示する。図１６にディスプレイ５５にて表示される画面例である警告画面３１０を示す。
【産業上の利用可能性】
【００４０】
本発明は、温度等の環境管理が重要である食品物流をはじめ、あらゆる物品の物流に利用可能である。また、工場内における部屋毎の環境と製造中の商品を結びつける等の利用も可能であり、物流に限らず利用範囲は広い。
【図面の簡単な説明】
【００４１】
【図１】本発明の実施例における環境情報管理システムの全体構成図。
【図２】本発明の実施例における環境情報管理システムの物品流通業務への適用例。
【図３】本発明の実施例における環境・移動関連マスタ。
【図４】本発明の実施例における環境・物品関連マスタ。
【図５】本発明の実施例における環境監視条件マスタ。
【図６】本発明の実施例における物品種別マスタ。
【図７】本発明の実施例における環境履歴。
【図８】本発明の実施例における移動履歴。
【図９】本発明の実施例における環境監視プログラムの処理フロー。
【図１０】本発明の実施例における環境異常の警告画面例。
【図１１】本発明の実施例における検索画面例。
【図１２】本発明の実施例における検索結果画面例。
【図１３】本発明の実施例における環境履歴検索プログラムの処理フロー。
【図１４】本発明の実施例における環境情報管理システムの物品流通業務への適用例。
【図１５】本発明の実施例における環境監視プログラムの処理フロー。
【図１６】本発明の実施例における環境異常の警告画面例。
【図１７】本発明の実施例における検索画面例。
【図１８】本発明の実施例における検索結果画面例。
【図１９】本発明の実施例における環境履歴検索プログラムの処理フロー。
【図２０】本発明の実施例における環境情報管理システムの全体構成。
【符号の説明】
【００４２】
１０  環境情報管理システム
１１  リーダ
１２  温度センサ
１３  ディスプレイ
２０  環境履歴登録プログラム
２１  入力部
２２  環境履歴検索プログラム
２３  環境・移動関連マスタ
２４  環境・物品関連マスタ
２５  環境監視条件マスタ
２６  物品種別マスタ
２７  環境履歴
２８  移動履歴
２９  環境監視プログラム
９２  環境履歴検索プログラム
９９  環境監視プログラム
【図１】
2006335494.tif 000003
【図２】
2006335494.tif 000004
【図３】
2006335494.tif 000005
【図４】
2006335494.tif 000006
【図５】
2006335494.tif 000007
【図６】
2006335494.tif 000008
【図７】
2006335494.tif 000009
【図８】
2006335494.tif 000010
【図９】
2006335494.tif 000011
【図１０】
2006335494.tif 000012
【図１１】
2006335494.tif 000013
【図１２】
2006335494.tif 000014
【図１３】
2006335494.tif 000015
【図１４】
2006335494.tif 000016
【図１５】
2006335494.tif 000017
【図１６】
2006335494.tif 000018
【図１７】
2006335494.tif 000019
【図１８】
2006335494.tif 000020
【図１９】
2006335494.tif 000021
【図２０】
2006335494.tif 000022